(57)【要約】【課題】小型化を図ることができ占有スペースを低減する上で有利なレンズ装置を提供する。【解決手段】レンズ装置１０は、ケース１４０８がその長手方向が鏡筒本体１２０２の直径方向に延在し該鏡筒本体１２０６を貫通するように配置された状態で、開口部１４１２が第２の固定レンズ１６０４に近づけて配置される。また、ケース１４０８の開口部１４１２内に第２の固定レンズ１６０４の湾曲面１６０４Ａを位置させることで、第２の固定レンズ１６０４が絞り羽根１４０４に極めて近づけて配置される。第２の挿通孔１２０６部分とケース１４０８の先部との間を第２のカバー１８によって閉塞する構成としたので、ケース１４０８の先部と第２の挿通孔１２０６との間に形成される間隙が確実に閉塞され、かつ、ケース１４０８の先部が第２の挿通孔１２０６部分に対し位置決めされる。【選択図】        図１
2004348030.tif 000002
【特許請求の範囲】
【請求項１】
複数のレンズがそれらの光軸を一致させて組み込まれた鏡筒と、前記鏡筒に組み込まれた絞り機構とを備え、
前記絞り機構は、前記光軸に中心を一致させた絞り孔を形成する複数の絞り羽根と、前記絞り羽根を駆動し絞り孔の大きさを変えるアクチュエータと、前記絞り羽根を収容し前記絞り孔に対応した箇所に開口部を有するケースとを備え、
前記ケースは前記鏡筒の直径よりも小さい幅を有し前記鏡筒の直径よりも大きい長さを有する細長形状に形成され、
前記アクチュエータは鏡筒の外部に配置され、前記ケースはその長手方向が鏡筒の直径方向に延在し該鏡筒を貫通するように配置され、前記開口部は前記複数のレンズのうちの１つのレンズに近づけて配置され、
前記ケースの長手方向の一方であるケースの基部が貫通された鏡筒部分と前記ケースの基部との間を閉塞する第１のカバーが設けられ、
前記ケースの長手方向の他方であるケースの先部が貫通された鏡筒部分と前記ケースの先部との間を閉塞する第２のカバーが設けられている、
ことを特徴とするレンズ装置。
【請求項２】
前記開口部が近づけられたレンズは該開口部に向けて凸状の湾曲面を有し、前記レンズを構成する湾曲面は前記絞り羽根に干渉しない範囲で前記開口部の内側に位置していることを特徴とする請求項１記載のレンズ装置。
【請求項３】
前記ケースの基部には前記アクチュエータのケース部分が連結され、前記第１のカバーは前記アクチュエータのケース部分で構成されていることを特徴とする請求項１記載のレンズ装置。
【請求項４】
前記第２のカバーは前記鏡筒およびケースとは別体に構成されていることを特徴とする請求項１記載のレンズ装置。
【発明の詳細な説明】
【０００１】
【発明の属する技術分野】
本発明は絞り機構を有するレンズ装置に関する。
【０００２】
【従来の技術】
従来から、複数のレンズが組み込まれた鏡筒と、この鏡筒に組み込まれた絞り機構とを備えたレンズ装置が提供されている（例えば特許文献１参照）。
このようなレンズ装置においては、絞り機構は、アクチュエータにより開口面積を変える絞り羽根と、該絞り羽根を収容するケースとを備えており、絞り機構は、そのケースが鏡筒に設けられた挿入孔から鏡筒内部に挿入された状態で配置されている。また、鏡筒に挿入されたケースの先端部分は、鏡筒の外方に突出形成された収容部に収容されている。
【０００３】
【特許文献１】
特開平１１−１４２９０６号公報
【０００４】
【発明が解決しようとする課題】
しかしながら、上述したレンズ装置では、鏡筒に組み込まれたレンズと絞り機構のケースとが干渉しないように両者の間隔を空ける必要があるため、鏡筒の光軸方向の寸法を小さくする上で不利であった。
本発明は前記事情に鑑みてなされたものであり、その目的とするところは、小型化を図ることができ占有スペースを低減する上で有利なレンズ装置を提供することにある。
【０００５】
【課題を解決するための手段】
本発明は、前記目的を達成するため、複数のレンズがそれらの光軸を一致させて組み込まれた鏡筒と、前記鏡筒に組み込まれた絞り機構とを備え、前記絞り機構は、前記光軸に中心を一致させた絞り孔を形成する複数の絞り羽根と、前記絞り羽根を駆動し絞り孔の大きさを変えるアクチュエータと、前記絞り羽根を収容し前記絞り孔に対応した箇所に開口部を有するケースとを備え、前記ケースは前記鏡筒の直径よりも小さい幅を有し前記鏡筒の直径よりも大きい長さを有する細長形状に形成され、前記アクチュエータは鏡筒の外部に配置され、前記ケースはその長手方向が鏡筒の直径方向に延在し該鏡筒を貫通するように配置され、前記開口部は前記複数のレンズのうちの１つのレンズに近づけて配置され、前記ケースの長手方向の一方であるケースの基部が貫通された鏡筒部分と前記ケースの基部との間を閉塞する第１のカバーが設けられ、前記ケースの長手方向の他方であるケースの先部が貫通された鏡筒部分と前記ケースの先部との間を閉塞する第２のカバーが設けられていることを特徴とする。
そのため、本発明によれば、ケースの長手方向が鏡筒の直径方向に延在し該鏡筒を貫通するように配置された状態で、ケースの開口部がレンズに近づけて配置される。
【０００６】
【発明の実施の形態】
以下、本発明によるレンズ装置の実施の形態を図面に基づいて詳細に説明する。
図１は絞り機構が鏡筒に挿入された状態のレンズ装置の断面図、図２は鏡筒と絞り機構との組立説明図、図３（Ａ）はカバーを上方から見た斜視図、（Ｂ）はカバーを下方から見た斜視図、図４はカバーが鏡筒に取着された状態を示す斜視図、図５は絞り機構が鏡筒に挿入される状態を示す説明図、図６は絞り機構が鏡筒に挿入された状態を示す説明図である。
【０００７】
図１に示すように、レンズ装置１０は、鏡筒１２と絞り機構１４とを備えている。
鏡筒１２は前後方向に延在する筒状の鏡筒本体１２０２を備え、鏡筒本体１２０２の後端に撮像素子１６０６が組み込まれている。
また、鏡筒本体１２０２の前端寄りの箇所には第１の固定レンズ１６０２が組み込まれ、中間箇所には第２の固定レンズ１６０４が組み込まれ、第１の固定レンズ１６０２と第２の固定レンズ１６０４との間には第１の移動レンズ１６０８が配設され、第２の固定レンズ１６０４と撮像素子１６０６との間には第２の移動レンズ１６１０が配設されている。
これら第１、第２の固定レンズ１６０２、１６０４の光軸は互いに一致するように構成され、第１、第２の移動レンズ１６０８、１６１０の光軸は前記光軸と一致した状態で該光軸に沿って前後方向に移動可能に構成されている。第１、第２の移動レンズ１６０８、１６１０の移動は、鏡筒本体１２０２の外部に設けられた不図示のリニアモータなどによってなされる。
第１の固定レンズ１６０２、第１の移動レンズ１６０６、第２の固定レンズ１６０４、第２の移動レンズ１６０６によって光学系１６が構成され、この光学系１６によって導かれた被写体像が撮像素子１６０６に導かれ、該撮像素子１６０６によって被写体像が撮像されて撮像信号が生成されるように構成されている。また、光学系１６は、第１、第２の移動レンズ１６０８、１６１０を前記光軸方向に動かすことにより撮影倍率が変更できる、いわゆるズーム光学系を構成している。
鏡筒本体１２０２の中間箇所には、該鏡筒本体１２０２の径方向を挟む２箇所にそれぞれ絞り機構１４を組み込むための第１の挿通孔１２０４と、第２の挿通孔１２０６とが形成されている。
図２に示すように、第２の挿通孔１２０６は、前記光軸と直交する方向から見て前後方向の寸法が左右方向の寸法よりも小さい矩形状を呈し、第２の挿通孔１２０６の周囲に沿って鏡筒本体１２０２の表面から外方に突出する起立壁１２０８が形成されている。起立壁部１２０８は前側の壁部１２０８Ａ、後側の壁部１２０８Ｂ、右側の壁部１２０８Ｃ、左側の壁部１２０８Ｄから構成されている。
前側の壁部１２０８Ａには前方向に突出する係合凸部１２１０が設けられ、後側の壁部１２０８Ｂには後方向に突出する係合凸部１２１０が設けられ、右側の壁部１２０８Ｃには右方に突出する係合爪１２１２が設けられている。
【０００８】
絞り機構１４は、図１、図２に示すように、アクチュエータ１４０２と、絞り羽根１４０４と、ケース１４０８とを備えている。
絞り羽根１４０４は、上下方向に移動可能に設けられた上絞り羽根１４０４Ａおよび下絞り羽根１４０４Ｂから、前記光軸に中心を一致させた絞り孔１４０５を形成するように構成されている。
アクチュエータ１４０２は、外部から供給される電気信号（駆動信号）に基づいて上絞り羽根１４０４Ａと下絞り羽根１４０４Ｂを駆動するものであり、従来公知の機構（メータ機構）によって構成されている。
そして、上絞り羽根１４０４Ａおよび下絞り羽根１４０４Ｂがアクチュエータ１４０２の駆動力によって互いに反対方向に移動することにより、上絞り羽根１４０４Ａと下絞り羽根１４０４Ｂの間に構成される絞り孔１４０５の大きさが増減されるように構成されている。
ケース１４０８は、絞り羽根１４０４を収容するものであり、鏡筒本体１２０２の直径よりも小さい幅を有し鏡筒本体１２０２の直径よりも大きい長さを有して細長形状に形成され、ケース１４０８は、第１の挿通孔１２０４から鏡筒本体１２０２に挿通されその長手方向が鏡筒本体１２０２の直径方向に延在し、該鏡筒本体１２０２を貫通するように配置され、その先部が第２の挿通孔１２０６内に位置している。
ケース１４０８は、前後方向に間隔をおいて設けられた矩形板状の前板１４０８Ａおよび後板１４０８Ｂを有し、前板１４０８Ａおよび後板１４０８Ｂには、絞り孔１４０５に一致する開口部１４１０、１４１２が設けられている。
そして、ケース１４０８は、一方の開口部１４１２が第２の固定レンズ１６０４に近づけて配設されている。
前記第２の固定レンズ１６０４は、開口部１４１２に向けて凸状の湾曲面１６０４Ａを有し、湾曲面１６０４Ａは絞り羽根１４０４に干渉しない範囲で開口部１４１２の内側に位置するように配置されている。
ケース１４０８の長手方向の先部には右側に段部１４１４が形成され、段部１４１４を除く先端部分により嵌合部１４１６が構成されている。また、ケース１４０８の長手方向の基部には、アクチュエータ１４０２のケース部分１４１０が連結されている。
ケース部分１４１０の前部にはねじ挿通孔１４１４が形成された取付片１４１６が設けられ、ねじをねじ挿通孔１４１４を介して鏡筒本体１２０２の雌ねじに螺合することでケース部分１４１０が鏡筒本体１２０２に取着されるように構成されている。
嵌合部１４１６は、ケース１４０８を第１の挿通孔１２０４から鏡筒本体に挿通させたときに第２の挿通孔１２０６に嵌合する形状で形成され、嵌合部１４１６が第２の挿通孔１２０６に挿通された状態で段部１４１４が鏡筒本体１２０２の内側で第２の挿通孔１２０６の縁部、すなわち壁部１２０８Ｃの下部に対応する箇所に係合するように構成されている。
【０００９】
図１に示すように、鏡筒本体１６０２の第１の挿通孔１２０４部分とケース１４０８の基部との間は、アクチュエータ１４０２のケース部分１４１０で閉塞されており、本実施の形態では、ケース部分１４１０によって特許請求の範囲の第１のカバーが構成されている。
また、ケース１４０８の先部が貫通された第２の挿通孔１２０６部分には第２のカバー１８が取着され、第２のカバー１８により、第２の挿通孔１２０６部分とケース１４０８の先部との間が閉塞されている。
第２のカバー１８は、図３に示すように、カバー本体１８０２と、２つの係合爪１８０４と、１つの係合孔１８０６と、突片１８０８とを有している。
カバー本体１８０２は、第１の挿通孔１２０６を閉塞できる形状および大きさで形成され、本実施の形態では、起立壁１２０８よりも一回り大きな輪郭を有する板状に形成され、カバー本体１８０２により第２の挿通孔１２０６部分とケース１４０８の先部との間が閉塞されている。
２つの係合爪１８０４は、壁部１２０８Ａ、１２０８Ｂに対応するカバー本体１８０２箇所に設けられ、カバー本体１８０２によって第２の挿通孔１２０６を閉塞した状態で係合凸部１２１０に係脱可能に構成されている。
１つの係合孔１８０６は、係合爪１２１２に対応するカバー本体１８０２箇所に設けられ、係合爪１２１２に係脱可能に構成されている。
突片１８０８は、ケース１４０４の一方の開口部１４１２が第２の固定レンズ１６０４に近づけて配設された状態で、すなわち、ケース１４０４の後板１４０４Ｂが壁部１２０８Ｂの内側面に当接された状態で、壁部１２０８Ａの内側面とケース１４０４の前板１４０４Ａとの間に形成される隙間に挿入され、その状態でがたつきが生じないように構成されている。
また、突片１８０８には、該突片１８０８が壁部１２０８Ａの内側面とケース１４０４の前板１４０４Ａとの間に形成される隙間に挿入された状態で、壁部１２０８Ｄの下部に位置する鏡筒本体１２０２の内側面に係合する段部１８１０が設けられている。
また、本実施の形態において、鏡筒１６およびケース１８は合成樹脂材料によって形成されている。
【００１０】
次に、以上のように構成されたレンズ装置１０の組立について説明する。
まず、図５に示すように、絞り機構１４のケース１４０８の先部を第１の挿通孔１２０４から鏡筒本体１２０２に挿通する。この際、前板１４０８Ａを第１の挿通孔１２０４の前側の縁部に当接させつつ、ケース１４０８を挿入することにより、ケース１４０８の後板１４０８Ｂが第２の固定レンズ１６０４に干渉しないようにする。
ケース１４０８の先部をさらに鏡筒本体１２０２に挿通させ、図６に示すように、ケース１４０８の嵌合部１４１６を第２の挿通孔１２０６に嵌合させると、段部１４１４が鏡筒本体１２０２の内側で第２の挿通孔１２０６の縁部に係合し、これによりケース１４０８は、鏡筒本体１２０２に対してケース１４０８の長手方向および長手方向と直交する方向の位置決めがなされる。
次に、図１に示すように、絞り機構１４全体を後方に移動させることにより、第２の固定レンズ１６０４の湾曲面１６０４Ａを開口部１４１２の内側に位置させ、後板１４０８Ｂの基部寄りの箇所を第１の挿通孔１２０４の後側の縁部に当接させるとともに、後板１４０８Ｂの先部寄りの箇所を第２の挿通孔１２０６の壁部１２０８Ｂ内側面に当接させる。これより、壁部１２０８Ａの内側面とケース１４０４の前板１４０４Ａとの間に隙間が形成され、また、第１の挿通孔１２０４内の前方部分に隙間が形成される。
そして、図１、図４に示すように、第２のカバー１８０２の突片１８０８を前記隙間に挿入し、２つの係合片１８０４を２つの係合凸部１２１０に係合させるとともに、１つの係合孔１８０６に１つの係合爪１２１２を係合させ、これにより第２のカバー１８０２によって第２の挿入孔１２０６部分とケース１４０８の先部との間を閉塞する。これにより第２の挿入孔１２０６部分に対するケース１４０８の先部の位置決めがなされる。
さらに、ねじをねじ挿通孔１４１４を介して鏡筒本体１２０２の前記雌ねじに螺合することでケース部分１４１０が鏡筒本体１２０２に取着される。これにより、第１の挿通孔１２０４内の前方部分の隙間がケース部分１４１０で閉塞される。
【００１１】
以上説明したように本実施の形態のレンズ装置１０は、ケース１４０８がその長手方向が鏡筒本体１２０２の直径方向に延在し該鏡筒本体１２０６を貫通するように配置された状態で、開口部１４１２が第２の固定レンズ１６０４に近づけて配置されることにより、絞り機構１４と第２の固定レンズ１６０４との距離を短縮することができる。したがって、光学系１６の光軸方向の寸法を短縮することよりレンズ装置１０の小型化を図ることができ占有スペースを低減する上で有利となる。
また、ケース１４の開口部１４１２内に第２の固定レンズ１６０４の湾曲面１６０４Ａを位置させるようにし、これにより第２の固定レンズ１６０４を絞り羽根１４０４に極めて近づけて配置させることができ、光学系１６の光軸方向の寸法を短縮し、レンズ装置１０の小型化を図る上で極めて有利となる。
また、ケース１４０８を第２の固定レンズ１６０４から離した状態で鏡筒本体１６０２に挿入し、その後、ケース１４０８を第２の固定レンズ１６０４に近づけることでケース１４０８の開口部１４１２内に第２の固定レンズ１６０４の湾曲面１６０４Ａを位置させることができるので、光学系１６の光軸方向の寸法を短縮し、レンズ装置１０の小型化を図りつつその組立も簡単になされる。
また、第２の挿通孔１２０６部分とケース１４０８の先部との間を第２のカバー１８によって閉塞する構成としたので、ケース１４０８を第２の固定レンズ１６０４から離した状態で鏡筒本体１６０２に挿入し、その後、ケース１４を第２の固定レンズ１６０４に近づけることでケース１４０８の先部と第２の挿通孔１２０６との間に形成される間隙を確実に閉塞することができる。
【００１２】
【発明の効果】
以上説明したように本発明によれば、小型化を図ることができ占有スペースを低減する上で有利なレンズ装置を提供することができる。
【図面の簡単な説明】
【図１】絞り機構が鏡筒に挿入された状態のレンズ装置の断面図である。
【図２】鏡筒と絞り機構との組立説明図である。
【図３】（Ａ）はカバーを上方から見た斜視図、（Ｂ）はカバーを下方から見た斜視図である。
【図４】カバーが鏡筒に取着された状態を示す斜視図である。
【図５】絞り機構が鏡筒に挿入される状態を示す説明図である。
【図６】絞り機構が鏡筒に挿入された状態を示す説明である。
【符号の説明】
１０……レンズ装置、１２……鏡筒、１４……絞り機構、１５……、１６……光学系、１８……カバー、１２０２……鏡筒本体、１２０４……第１の挿通孔、１２０６……第２の挿通孔、１４０２……アクチュエータ、１４０４……絞り羽根、１４０８……ケース、１４１０……ケース部分、１６０４……第２の固定レンズ、１６０４Ａ……湾曲面。
【図１】
2004348030.tif 000003
【図２】
2004348030.tif 000004
【図３】
2004348030.tif 000005
【図４】
2004348030.tif 000006
【図５】
2004348030.tif 000007
【図６】
2004348030.tif 000008